(57)【要約】【課題】携帯情報機器の低コスト化、省サイズ化、省電力化のため。【解決手段】表示装置を有する携帯情報機器であり、表示装置を照射するための発光装置を持たないものにおいて、機能拡張用の外部接続装置側に発光装置を持たせ、外部接続装置側の電力にて携帯情報機器の表示装置を照射する。【選択図】　　　　図１
2004133043.tif 000002
【特許請求の範囲】
【請求項１】
表示器を有し、且つ前記表示器を照射するための発光部品を内蔵していない携帯情報機器において、
前記携帯情報機器に接続可能である外部装置があり、
前記外部装置が前記表示器を照射するための発光部品を具備していることを特徴とする携帯情報機器における表示画面照射手段。
【請求項２】
表示器を有し、且つ前記表示器を照射するための発光部品を内蔵していない携帯情報機器において、
前記携帯情報機器に接続可能である外部装置があり、
前記外部装置が前記表示器を照射するための発光部品を具備しており、
前記外部装置を前記携帯情報機器に接続した際に、前記発光部品が前記携帯情報機器の内部に入り込み前記表示器を照射する構成であることを特徴とする携帯情報機器における表示画面照射手段。
【請求項３】
表示器を有し、且つ前記表示器を照射するための発光部品を内蔵していない携帯情報機器において、
前記携帯情報機器に接続可能である外部装置があり、
前記外部装置が前記表示器を照射するための発光部品を具備しており、
前記外部装置を前記携帯情報機器に接続した際に、前記発光部品が前記携帯情報機器の内部に入り込み前記表示器を照射する構成であり、
前記外部装置がＡＣ電源で駆動するものである場合は前記発光部品は常に前記表示器を照射できる状態となり、
前記外部装置が内蔵電池で駆動するものである場合は前記内蔵電池の電源電圧を判別する手段をもち、前記電源電圧が所定値より低い時には前記発光部品の発光を禁止する発光禁止手段を具備していることを特徴とする携帯情報機器における表示画面照射手段。
【請求項４】
前記外部装置を前記携帯情報機器に接続した際に、前記発光部品が前記表示器を表示面側から照射する構成であることを特徴とする請求項１から３に記載の携帯情報機器における表示画面照射手段。
【請求項５】
前記外部装置を前記携帯情報機器に接続した際に、前記発光部品が前記表示器を表示面の裏面側から照射する構成であることを特徴とする請求項１から３に記載の携帯情報機器における表示画面照射手段。
【請求項６】
前記表示器が反射型液晶表示装置であることを特徴とする請求項４に記載の携帯情報機器における表示画面照射手段。
【請求項７】
前記表示器が半透過型もしくは微透過型液晶表示装置であることを特徴とする請求項５に記載の携帯情報機器における表示画面照射手段。
【請求項８】
前記発光部品が発光ダイオード（ＬＥＤ）であることを特徴とする請求項１から７に記載の携帯情報機器における表示画面照射手段。
【請求項９】
前記発光部品が蛍光管であることを特徴とする請求項１から７に記載の携帯情報機器における表示画面照射手段。
【請求項１０】
前記発光部品がＥＬライトであることを特徴とする請求項５及び７に記載の携帯情報機器における表示画面照射手段。
【請求項１１】
前記外部装置がクレイドルであることを特徴とする請求項１から１０に記載の携帯情報機器における表示画面照射手段。
【請求項１２】
前記外部装置がカメラモジュールであることを特徴とする請求項１から１０に記載の携帯情報機器における表示画面照射手段。
【発明の詳細な説明】
【０００１】
【発明の属する技術分野】
本発明は、携帯情報機器における表示画面の照射方法に関するものである。
【０００２】
【従来の技術】
携帯情報機器において、その機器が有する情報を表示するための表示器として一般的には液晶表示装置が用いられている。この液晶表示装置には大きく分けて透過型、半透過型（微透過型も含む）、反射型といった種類がある。これらの液晶表示装置はそれ自体では発光しないので、透過型と半透過型の液晶表示装置では、液晶表示装置の表示面側とは反対側の裏面側に発光装置であるバックライトを搭載する必要がある。また、反射型の液晶表示装置については液晶表示装置に外部から入ってくる外光を反射させることで、発光装置が無くても表示画面を見る事が可能だが、十分な外光が得られない室内などの暗い場所での視認性を上げるために液晶表示装置の表示面側に発光装置であるフロントライトを用いているものもある。これらの発光源としてＬＥＤランプ、蛍光管、及びＥＬライトなどが用いられている。
【０００３】
【発明が解決しようとする課題】
上記の液晶表示装置の内、反射型を用いている携帯情報機器においてはコストや省電力の目的のため、フロントライトを搭載しないものもあるが、その場合暗い所での視認性が落ちてしまうといった問題を常に抱えていた。
【０００４】
本発明の目的は、反射型液晶表示装置を内蔵している携帯情報機器であり、フロントライトを搭載していないものにおいて、この携帯情報機器に装着可能な外部接続機器が発光部を有する事で、携帯情報機器に外部接続機器を装着した際にはフロントライトの使用が可能になる構成を提供する事である。また同様の技術を用いて、半透過型の液晶表示装置を内蔵している携帯情報機器であり、バックライトを搭載していないものにおいても、この携帯情報機器に装着可能な外部接続機器が発光部を有する事で、携帯情報機器に外部接続機器を装着した際にはバックライトの使用が可能になる構成を提供する事である。
【０００５】
【課題を解決するための手段】
上記目的を達成するため、本出願に係わる第１の発明は、表示器を有し、且つ前記表示器を照射するための発光部品を内蔵していない携帯情報機器において、前記携帯情報機器に接続可能である外部装置があり、前記外部装置が前記表示器を照射するための発光部品を具備しているものである。
【０００６】
本出願に係わる第２の発明は、表示器を有し、且つ前記表示器を照射するための発光部品を内蔵していない携帯情報機器において、前記携帯情報機器に接続可能である外部装置があり、前記外部装置が前記表示器を照射するための発光部品を具備しており、前記外部装置を前記携帯情報機器に接続した際に、前記発光部品が前記携帯情報機器の内部に入り込み前記表示器を照射する構成をもつものである。
【０００７】
本出願に係わる第３の発明は、表示器を有し、且つ前記表示器を照射するための発光部品を内蔵していない携帯情報機器において、前記携帯情報機器に接続可能である外部装置があり、前記外部装置が前記表示器を照射するための発光部品を具備しており、前記外部装置を前記携帯情報機器に接続した際に、前記発光部品が前記携帯情報機器の内部に入り込み前記表示器を照射する構成であり、前記外部装置がＡＣ電源で駆動するものである場合は前記発光部品は常に前記表示器を照射できる状態となり、前記外部装置が内蔵電池で駆動するものである場合は前記内蔵電池の電源電圧を判別する手段をもち、前記電源電圧が所定値より低い時には前記発光部品の発光を禁止する発光禁止手段を具備しているものである。
【０００８】
本出願に係わる第４の発明は、前記外部装置を前記携帯情報機器に接続した際に、前記発光部品が前記表示器を表示面側から照射する構成をもつものである。
【０００９】
本出願に係わる第５の発明は、前記外部装置を前記携帯情報機器に接続した際に、前記発光部品が前記表示器を表示面の裏面側から照射する構成をもつものである。
【００１０】
本出願に係わる第６の発明は、前記表示器が反射型液晶表示装置であるものである。
【００１１】
本出願に係わる第７の発明は、前記表示器が半透過型もしくは微透過型液晶表示装置であるものである。
【００１２】
本出願に係わる第８の発明は、前記発光部品が発光ダイオード（ＬＥＤ）であるものである。
【００１３】
本出願に係わる第９の発明は、前記発光部品が蛍光管であるものである。
【００１４】
本出願に係わる第１０の発明は、前記発光部品がＥＬライトであるものである。
【００１５】
本出願に係わる第１１の発明は、前記外部装置がクレイドルであるものである。
【００１６】
本出願に係わる第１２の発明は、前記外部装置がカメラモジュールであるものである。
【００１７】
【発明の実施の形態】
（第１実施形態）
図１は、本発明の携帯情報機器の概略構成を示すブロック図である。また、図２はクレイドルの概略構成を示すブロック図であり、図３は第１実施形態の携帯情報機器の外観構成を示す図であり、図４は携帯情報機器とクレイドルの接続形態及びクレイドルの外観構成を示す図であり、図５は表示器の照射方法を示す図である。
【００１８】
図１において、１０１はＣＰＵであり、本携帯情報機器の動作はこのＣＰＵ１０１により制御される。ＣＰＵ１０１には、制御プログラムを記憶しているＲＯＭ１０２、ＲＡＭ１０３、ユーザーデータを格納するための格納手段１０４、各種データのデコードなどを行うためのデータ処理手段１０５、クレイドルと接続するためのクレイドルインタフェース部１０６、外部デバイスインターフェース部１０７、ＬＣＤコントロール部１０８、タッチパネルの制御、検出を行うタッチパネルコントロール部１１１、音声の録音再生のためのＡＤ／ＤＡ変換部１１８、及び電源の検出、制御を行う電源検出コントロール部１１４、その他の操作に使われるキースイッチ群１１７がそれぞれ接続されている。
【００１９】
そして、ＬＣＤコントロール部１０８には表示駆動部１０９、さらに表示部（ＴＦＴカラー液晶）１１０が接続されている。また、タッチパネルコントロール部１１１には、表示部１１０上に設置されたタッチパネル１１２が接続され、タッチパネル１１２への入力の検出を行う。
【００２０】
電源検出コントロール部１１４には、電池１１５、またはクレイドルが接続されている場合にはクレイドルより電源が供給され、電源を持つ外部デバイスが接続されている場合には外部デバイスより電源が供給される。更に、ＤＣ／ＤＣコンバータ１１３が接続されており、ＤＣ／ＤＣコンバータ１１３は、供給された電圧を各回路が必要とする複数の電圧に変換して、各回路に供給する。
【００２１】
ＡＤ／ＤＡ変換部１１８には、マイク１１９、スピーカ１２０がそれぞれ接続され、音声データの録音再生機能に使われる。
【００２２】
ＣＰＵ１０１はＲＯＭ１０２内の制御プログラムに基づいて各種制御を行う。これらの制御の中には、例えば外部デバイスがカメラモジュールの場合、カメラモジュールから出力された撮影画像信号を読み込み、ＲＡＭ１０３へＤＭＡ転送を行う処理、同様にＲＡＭ１０３よりＬＣＤコントロール部１０８へデータをＤＭＡ転送する処理、また、撮影画像データをデータ処理手段１０５へ転送しＪＰＥＧ、ＭＰＥＧなどの圧縮伸長を行う処理、各種データをファイル形式でデータ格納手段１０４へ格納する処理、クレイドル検出時の処理、外部デバイス検出時の処理、電池の充放電などの電源検出コントロール部への指示、更にタッチパネル１１２、キースイッチ（ＳＷ）１１７から入力された情報に従った各種アプリケーションの実行などの処理が含まれる。
【００２３】
ＲＡＭ１０３は画像展開エリア１０３ａ、アプリケーションなどのワークエリア１０３ｂ、ＶＲＡＭ１０３ｃ、一時退避エリア１０３ｄなどを備えている。画像展開エリア１０３ａには、外部デバイス１０７より送られてきた撮影画像（ＹＵＶデジタル信号）やデータ格納手段１０４から読み出された画像データを一時的に格納するためのテンポラリバッファとして、また、画像圧縮処理、解凍処理のための画像専用ワークエリアとして使用される。ワークエリア１０３ｂは、各種プログラムのためのワークエリアである。ＶＲＡＭ１０３ｃは表示部１１０へ表示する表示データを格納するＶＲＡＭとして使用される。また、一時退避エリア１０３ｄは各種データを一時退避させるためのエリアである。
【００２４】
データ格納手段１０４は、ＪＰＥＧ、ＭＰＥＧ圧縮された撮影画像データ、音声データ及びアプリケーションより参照される各種付属データ等をファイル形式で格納しておくためのメモリであり、本発明ではフラッシュメモリで構成される。データ処理手段１０５は、ＤＭＡにより転送されたデータに対してＪＰＥＧ、ＭＰＥＧの圧縮、または、伸長処理等の各種データ処理を行う。
【００２５】
タッチパネルコントロール部１１１は、タッチパネル１１２の駆動制御とペンタッチにより入力された各種情報をデジタル信号へ変換してＣＰＵ１０１へ転送するための制御を行う。
【００２６】
ＬＣＤコントロール部１０８は、例えば外部デバイスがカメラモジュールであった場合、カメラモジュールから転送されたＹＵＶデジタル画像データ、あるいはデータ格納手段中の画像ファイルに対してデコード処理を行ったＹＵＶデジタル画像データを受け取り、ＲＧＢデジタル信号へ変換したあと表示駆動部１０９へ出力する処理を行う。表示駆動部１０９は表示部１１０を駆動するための制御を行う。表示部１１０は画像を表示するための表示器であり反射型の液晶表示装置である。
【００２７】
電源検出コントロール部１１４は、クレイドル及び外部デバイスからの電源供給や電池電圧低下を検出するとＣＰＵ１０１へ通知し、また、ＣＰＵ１０１の指示により電池１１５の充電の制御や、ＤＣ／ＤＣコンバータが供給する複数の電圧の供給停止や供給開始の制御を行う。
【００２８】
図２は、クレイドルの概略構成を示すブロック図である。図２において、２０１はＣＰＵであり、クレイドルの動作は、このＣＰＵ２０１により制御される。ＣＰＵ２０１には、制御プログラムを記憶しているＲＯＭ２０２、主にデータ転送時のバッファとして使われるＲＡＭ２０３、及び、携帯情報機器と接続するための携帯情報機器インターフェース部２０４とその内部に携帯情報機器に電源を供給するための電源部２０４ａ、パーソナルコンピュータ（以下、ＰＣと呼ぶ）と接続するためのＰＣインタフェース部２０５が接続されている。
【００２９】
携帯情報機器３０１をクレイドル４０１に接続すると図４に示すようにクレイドル４０１のＬＥＤランプ４０３（２０８）が携帯情報機器３０１の穴部４０６から携帯情報機器３０１の内部に納まる。図５−１に示すようにＬＥＤランプ４０３は導光板５０１の凹部５０１ａに納まり、図５−１の底面部からの断面図（概念図）である図５−２に示すように、ＬＥＤランプ４０３が発光すると光が導光板５０１内を反射していき、表示部１１０全面を照射する。表示部１１０に照射された光が表示部１１０の表示面を通過した後裏面側で反射し、導光板５０１を通過して光が視点側に向かう事で、外光が暗いところでもこのＬＥＤランプ４０３の光により表示部１１０の画面を十分な光量にて見る事ができる。
【００３０】
図２に示す携帯情報機器インターフェース部２０４にはＬＥＤランプ発光制御部２０７が接続されており、携帯情報機器インターフェース部２０４にて携帯情報機器がクレイドルに接続された事が検出されると、ＬＥＤランプ発光制御部２０７によりＬＥＤランプ２０８の発光が制御できるようになる。携帯情報機器の操作によりＬＥＤランプ発光制御部２０７を通してＬＥＤランプ２０８の発光ＯＮ／ＯＦＦや、発光量（明るさ）の調整などの操作が可能となる。基本的な設定では携帯情報機器をクレイドルに接続し、携帯情報機器の電源をＯＮにする動作に連動して、ＬＥＤランプ２０８は発光し、携帯情報機器の電源をＯＦＦにする動作によってＬＥＤランプ２０８も発光を停止する仕様となっている。
【００３１】
図３−１、図３−２は、第１実施形態の携帯情報機器３０１の外観図である。表示ユニット３０３は表示部１１０の上面に、タッチパネル１１２が配置された形となっており、また同じ面にダイレクト機能キー３０５、３０６、及び３１３〜３１５のキースイッチ（１１７）が配置されている。ダイレクト機能キー３０５、３０６はあらかじめある機能を設定しておけば、そのキーを押せば携帯情報機器３０１でどのような操作を行なっている場合でも、即座に設定された機能を実行するキーである。また、側面の位置にシャッタースイッチ３０８が配置されている。３０２は、操作者がメニュー選択などの指示を行うための入力に使うペンである。３１２は、携帯情報機器３０１とクレイドルを接続するための接続端子であり、この端子によってクレイドルから携帯情報機器３０１への電源供給も行われる。
【００３２】
次に、図４でクレイドル４０１の外観構成の説明を行なう。接続端子４０４は、携帯情報機器インタフェース部２０４であり携帯情報機器３０１とクレイドル４０１を接続するための接続端子である。また電源コード４０２がコンセントに接続されると、クレイドル内の電源供給部２０４ａにより携帯情報機器３０１に適応した電圧が接続端子４０４より供給可能となる。４０５は、ＰＣインターフェース部２０５の一部であり、ＰＣとクレイドル４０１を接続するためのコネクタである。また、前述した通り、クレイドル４０１にはＬＥＤランプ４０３が設置されている。ＬＥＤランプ４０３は携帯情報機器に搭載されている液晶に必要な光量を得るために、本実施形態では複数個のＬＥＤランプで構成されているものとするが、ＬＥＤランプは１個でも良く、またＬＥＤランプの代わりに蛍光管を発光体として用いる事も可能である。
【００３３】
（第２実施形態）
次に第２実施形態にて図１に示す外部デバイスにＬＥＤランプが具備され、外部デバイスを携帯情報機器本体に組み込んだ時に表示部の背面側からＬＥＤランプにて照射できる構成について説明する。例として外部デバイスがカメラモジュールであった時について説明する。
【００３４】
図６は本発明の携帯情報機器に接続されるカメラモジュールの概略構成を示すブロック図である。また、図７はカメラモジュールと携帯情報機器の接続形態、カメラモジュールの外観構成、及び本実施形態での表示器の照射方法を示す図である。
【００３５】
携帯情報機器の外部デバイスであるカメラモジュールは、カメラＣＰＵ６０１、鏡筒部６０２、タイミングジェネレータ６０３（ＴＧ）、ＣＣＤ６０４（光電変換素子）、Ａ／Ｄ変換回路６０５、画像処理用ＤＳＰ６０６、携帯情報機器インターフェース部６０７などから構成される。携帯情報機器側のＣＰＵ１０１からの信号により、携帯情報機器インターフェース部６０７を通して、カメラＣＰＵ６０１は鏡筒部６０２の駆動制御、画像信号のＪＰＥＧ、ＭＰＥＧ圧縮／伸長、画像データの転送やＡＥ、ホワイトバランスの調整などの動作を行う。ここで、カメラＣＰＵ６０１に送られる画像信号は鏡筒部６０２のレンズ群（図示せず）を通してＣＣＤ６０４に入力された光がＣＣＤ６０４により電気信号に変換されたものである。
【００３６】
携帯情報機器インターフェース部６０７の内部には電源供給制御部６０７ａがあり、電池６１０からの電力をカメラモジュールの各種電気処理や携帯情報機器への電力配給などに振り分ける。携帯情報機器インターフェース部６０７を通して携帯情報機器がカメラモジュールに接続されたことが検出されると、ＬＥＤランプ発光制御部６０８によりＬＥＤランプ６０９の発光が制御できるようになる。携帯情報機器の操作によりＬＥＤランプ発光制御部６０８を通してＬＥＤランプ６０９の発光ＯＮ／ＯＦＦや、発光量（明るさ）の調整などの操作が可能となる。電源供給制御部６０７ａは電池６１０の電源電圧を定期的に測定しており、電池６１０の電源電圧がカメラモジュールの各種電気処理に必要なある電源電圧値を下回った場合には、ＬＥＤランプ発光制御部６０８にＬＥＤランプ６０９の発光を禁止する信号を送る。電池６１０が充電されたり交換されたりして、カメラモジュールの各種電気処理に必要なある電源電圧値を上回ったところで再び電源配給制御部６０７ａはＬＥＤランプ発光制御部６０８にＬＥＤランプの発光を許可する信号を送る。
【００３７】
図７−１に携帯情報機器７０７と外部デバイス（本実施形態ではカメラモジュール７０１）の外観図を示す。第１実施形態の図５−１と同様、カメラモジュール７０１を携帯情報機器７０７に組むと、ＬＥＤランプ７０２（６０９）は導光板７０６の凹部７０６ａに納まり、図７−１の底面部からの断面図（概念図）である図７−２に示すように、導光板７０８によりＬＥＤランプ７０２の光は表示部１１０全面を表示部１１０の背面側から矢印の方向に照射する。カメラモジュール７０１の鏡筒部７０３（６０２）は軸部７０４によりｘ軸を中心に図中Ａの矢印方向へ回動可能な構造となっているので、携帯情報機器７０７の表示部１１０を見ながら鏡筒部７０３を回動させて所望の角度での撮影が可能である。また、カメラモジュール７０１は携帯情報機器７０７内部にある基板７０５上のコネクタ７０５ａにカメラコネクタ７０６を介して接続される。カメラコネクタ７０６は携帯情報機器インターフェース部６０７の一部であり、また基板７０５は携帯情報機器の各種電気処理を行なうものである。
【００３８】
尚、本実施形態ではＬＥＤランプ７０２は複数個のＬＥＤランプで構成されているものとするが、ＬＥＤランプは１個でも良く、またＬＥＤランプの代わりに蛍光管を発光部品として用いる事も可能である。また、本実施形態では表示器の背面側から光を照射する構成であるため、表示器は半透過型もしくは微透過型液晶表示装置であるものとする。さらに、本実施形態では外部デバイスとしてカメラモジュールを用いた場合について説明を行なったが、外部デバイスはこの他にメディアスロット拡張デバイス、ＧＰＳモジュール、無線・有線通信モジュールなどで発光部品を本実施形態と同様の構成にて装備しているものでも良いものとする。
【００３９】
（第３実施形態）
次に第３実施形態にて外部デバイスにＥＬライトが具備され、外部デバイスを携帯情報機器本体に組み込んだ時に表示部の背面側からＥＬライトにて照射できる構成について説明する。例として外部デバイスがカメラモジュールであった時について説明する。
【００４０】
図８は第３実施形態におけるカメラモジュールと携帯情報機器の接続形態及び本実施形態での表示器の照射方法を示す図である。
【００４１】
図８−１に示すように、カメラモジュール８０１には携帯情報機器８０５の表示部１１０より面積の大きいＥＬライト８０２が具備されている。携帯情報機器８０５にカメラモジュール８０１が接続されると、図８−１の底面部からの断面図（概念図）である図８−２に示すようにＥＬライト８０２は表示部１１０の背面側へ挿入され、ＥＬライト８０２の全面が発光する事により表示部１１０全面を矢印の方向へ照射する事ができる。本実施形態ではＥＬライトを用いた事により、前述のＬＥＤランプを用いたものと比べると、携帯情報機器８０５内部に導光板が必要ないので携帯情報機器８０５のコストを安くし、またサイズも小さくする事が可能となる。
【００４２】
尚、本実施形態では表示器の背面側から光を照射する構成であるため、表示器は半透過型もしくは微透過型液晶表示装置であるものとする。さらに、本実施形態では外部デバイスとしてカメラモジュールを用いた場合について説明を行なったが、外部デバイスはこの他にクレイドル、メディアスロット拡張デバイス、ＧＰＳモジュール、無線・有線通信モジュールなどで発光部品を本実施形態と同様の構成にて装備しているものでも良いものとする。
【００４３】
【発明の効果】
以上説明した様に、本発明によれば携帯情報機器において消費電力やコストを節約するために表示器を照射する発光部品を内蔵しないものであっても、携帯情報機器に接続される別のデバイス側が発光部品をもち、両者を接続することで表示器を照射する事ができるようになるので、暗い室内などの外光が十分でない状況においても表示器の表示を十分な光量にて見る事ができるようになる。また、クレイドルのように安定した電源が確保できるデバイスでは発光部品の発光が常に行えるのに対し、カメラモジュールなどの電池などで駆動する外部デバイスでは電池の電圧値を定期的に測定することで外部デバイス自身の駆動に影響が出ないような発光部品の発光制御が可能となる。
【図面の簡単な説明】
【図１】第１実施形態の携帯情報機器の概略構成を示すブロック図である。
【図２】第１実施形態のクレイドルの概略構成を示すブロック図である。
【図３】第１実施形態の携帯情報機器の外観構成を示す図である。
【図４】第１実施形態の携帯情報機器とクレイドルの接続形態及びクレイドルの外観構成を示す図である。
【図５】第１実施形態の表示器の照射方法を示す図である。
【図６】第２実施形態のカメラモジュールの概略構成を示すブロック図である。
【図７】第２実施形態のカメラモジュールと携帯情報機器の接続形態、カメラモジュールの外観構成、及び表示器の照射方法を示す図である。
【図８】第３実施形態におけるカメラモジュールと携帯情報機器の接続形態及び表示器の照射方法を示す図である。
【符号の説明】
１１０　表示部
４０１　クレイドル
４０３　ＬＥＤランプ
４０６　穴部
５０１　導光板
７０２　ＬＥＤランプ
７０８　導光板
８０２　ＥＬライト
【図１】
2004133043.tif 000003
【図２】
2004133043.tif 000004
【図３】
2004133043.tif 000005
【図４】
2004133043.tif 000006
【図５】
2004133043.tif 000007
【図６】
2004133043.tif 000008
【図７】
2004133043.tif 000009
【図８】
2004133043.tif 000010